【事件の表示】
　平成　８年特許願第　２８３４５号「磁気ヘッド装置」拒絶査定に対する審判事件［平成　９年　８月２６日出願公開、特開平　９−２２３３０４］について、次のとおり審決する。
【結　論】
　本件審判の請求は、成り立たない。
【理　由】
［１］本願発明　
　本願は、平成８年２月１５日に出願されたものであって、その請求項１，２に係る発明は、平成１２年１０月６日付け手続き補正書により補正された明細書及び図面の記載から見てその特許請求の範囲の請求項１，２に記載されたとおりのものと認められるところ、その請求項１に係る発明（以下、本願発明という。）は、次のとおりである。　
　
「【請求項１】　
　磁気ヘッドと、ヘッド支持装置と、リード線と、少なくとも１つの端子板とを含む磁気ヘッド装置であって、　
　前記磁気ヘッドは、スライダと、前記スライダに備えられた少なくとも一つの磁気変換素子とを有し、前記磁気変換素子の少なくとも１つは磁気抵抗効果を利用した読み取り素子であり、　
　前記ヘッド支持装置は、前記磁気ヘッドを支持しており、　
　前記リード線は、少なくとも一対の線材でなり、前記一対の線材のそれぞれは、一端が前記読み取り素子に接続されており、　
　前記端子板は、硬質の基板上に少なくとも一対の端子導体を有しており、　
　前記一対の端子導体のそれぞれは、同一端部側に前記リード線の他端が接続された接続部分を有し、前記接続部から間隔を隔てた後方位置において、短絡部により電気的に互いに短絡されており、　
　前記基板は、前記短絡部と前記接続部との間に溝または穴を有しており、前記溝または穴は、前記基板の厚み方向の少なくとも一面に、そのほぼ全幅にわたって、直線状に形成され、前記基板を手で切断することを可能にするものであり、　
　前記磁気ヘッドは、更に、書き込み用磁気変換素子を含んでおり、　
　前記端子板は１つであり、前記端子導体は２対であり、前記端子導体の各対は２つの端子導体を有しており、　
　前記端子導体のそれぞれは、前記短絡部により電気的に共通に短絡され、前記接続部から前記短絡部までの間では、ギャップにより互いに分離されており、　
　前記端子導体の一対には、読み取り素子用磁気変換素子から導かれたリード線がそれぞれ接続されており、　
　前記端子導体の他の一対には、書き込み素子用磁気変換素子から導かれたリード線がそれぞれ接続されている磁気ヘッド装置。」　
　
　
　
［２］当審の拒絶理由　
　当審において、平成１２年７月３１日付けで通知した拒絶の理由の概要は、本願発明は、その特許出願前日本国内で頒布された下記の刊行物１，２に記載された発明に基づいて当業者が容易に発明をすることができたものであるから、特許法第２９条第２項の規定により特許を受けることができないというものである。　
　
刊行物　
　１．特開平７−１４１６３６号公報　
　２．特開平３−１８９９１９号公報　
　
　
［３］刊行物１、２に記載された事項　
〈刊行物１〉　
「【請求項１】　
　基板上に磁気記録情報を読み取るためのＭＲ素子及び磁気記録情報を書き込むための薄膜磁気ヘッドを積層した複合型磁気ヘッドにおいて、　
　複合型磁気ヘッドと磁気ディスクドライブ装置の電気回路とを電気的に接続するＦＰＣの信号読み取り側端子２つ及び信号書き込み側端子２つの合計４つの端子のうち少なくとも信号読み取り側端子の２つを短絡したことを特徴とする複合型磁気ヘッド。　
　【請求項２】　
　複合型磁気ヘッドと磁気ディスクドライブ装置の電気回路とを電気的に接続するＦＰＣにおいて、信号読み取り側端子２つ及び信号書き込み側端子２つの合計４つの端子のうち少なくとも信号読み取り側端子の２つを短絡させたことを特徴とするＦＰＣ。」（特許請求の範囲）と、　
　
「【０００６】　
　【課題を解決するための手段】　
　以上のような課題を解決する為に本発明は複合型磁気ヘッドと磁気ディスクドライブ装置の電気回路とを電気的に接続するＦＰＣの信号読み取り側端子２つ及び信号書き込み側端子２つの合計４つの端子のうち少なくとも信号読み取り側端子の２つを短絡したものである。　
　【０００７】　
　【作用】　
　上記のようなＦＰＣを接続した複合型磁気ヘッドにおいては、ＭＲ素子の両極にそれぞれ陽極、陰極の電圧がかかったとしても電流は抵抗値の低い短絡線に多く流れＭＲ素子には極微少の電流しか流れないためにＭＲ素子が破壊される事はなくなる。　
　【０００８】　
　【実施例】　
　次に本発明の一実施例について図面を参照して説明する。　
　図１は本発明に係るＦＰＣ１を用いた複合型ヘッドを示す全体図である。ＦＰＣ１が接続された複合型磁気ヘッドスライダー３がジンバルサスペンション４に接着されておりそのジンバルサスペンション４にＦＰＣ１が固定されている。そしてＦＰＣ１の端末側端子部２が磁気ディスクドライブ装置の電気回路（図示せず）に接続されることとなる。　
　【０００９】　
　図２はＦＰＣ１の端末側端子部２の詳細図である。　
　なお、ＦＰＣ１の端末側端子部２は、磁気ディスクドライブ装置の電気回路に接続する前に、たとえば、Ａ−Ａ′にて切断し、信号読み取り側端子５，６を短絡状態から開放状態にして使用する。　
　【００１０】　
　本発明に係るＦＰＣ１においては、端末側端子部２にある信号読み取り側端子５，６に短絡線７を接続する事により信号読み取り側端子５，６あるいは複合型磁気ヘッドスライダー３の内部にあるＭＲ素子に静電気による高電圧がかかっても電流は抵抗値の低い短絡線７に多く流れＭＲ素子には極微少の電流しか流れない為ＭＲ素子が破壊されることはなくなる。　
　【００１１】　
　短絡線７はＦＰＣ１を製作する際に使用するマスクに短絡線７のマスクも含めて同時にパターン化している為短絡する為の工数費用は全く必要なく従来のＦＰＣ１１と同等の工数、費用で製作することができる。　
　さらにこの複合型磁気ヘッドを磁気ディスクドライブ装置に組込み配線を行う時に不要となる短絡線７は端末側端子部２の最端にある為、容易に切断することができる。　
　【００１２】　
　図３は他の実施例に係るＦＰＣの端末側端子部２の詳細図である。　
　この実施例と図２の実施例の相違点は短絡線７を端末側端子部より突出した形で接続するか突出せずに接続するかの違いであり、作用の相違はない。これは設計上任意に設定すればよい。　
　なお、ＦＰＣ１の端末側端子部２は、磁気ディスクドライブ装置の電気回路に接続する前に、たとえば、Ｂ−Ｂ′にて切断し、信号読み取り側端子５，６を短絡状態から開放状態にして使用する。」（段落６〜１２）と記載されている。　
　
　以上の記載及び図面から、刊行物１には、静電気によるＭＲ素子の破壊を防止するため、ＭＲ素子に容易に切断することができる短絡線を設けた複合型磁気ヘッドに関し、　
「複合型磁気ヘッドと、ジンバルサスペッション４、ＦＰＣ１と、ＦＰＣ１の端末端子側端子部２とを含み、　
　前記複合型磁気ヘッドは、複合型磁気ヘッドスライダー３と、前記複合型磁気ヘッドスライダーに備えられた少なくとも１つの磁気変換素子とを有し、前記磁気変換素子の少なくとも１つは磁気記録情報を読み取るためのＭＲ素子であり、　
　前記ジンバルサスペッション４は、前記複合型磁気ヘッドを支持しており、　
　前記ＦＰＣ１は、少なくとも一対の導電パターンからなり、前記一対の導電パターンのそれぞれは、一端がＭＲ素子に接続されており、　
　前記ＦＰＣ１の端末端子側端子部２は、少なくとも一対の端子を有しており、　
　前記一対の端子のそれぞれは、同一端部側はＦＰＣ１の導電パターンに連続し、他端の後方位置において、短絡線により電気的に互いに短絡されており、　
　前記ＦＰＣ１の端末端子側端子部２は、そのほぼ全幅にわたって、容易に切断可能であり、　
　前記複合磁気ヘッドスライダー３は、更に、磁気記録情報を書き込むための薄膜磁気ヘッドを含んでおり、　
　前記ＦＰＣ１の端末端子側端子部２は一つであり、前記端子は２対であり、前記端子の各対は２つの端子を有しており、　
　前記端子の一対は、前記短絡線により電気的に短絡され、前記接続部から前記短絡線の間まではギャップにより互いに分離されており、　
　前記端子の一対には、ＭＲ素子から導かれた導体パターンがそれぞれ連続しており、　
　前記端子の他の一対には、薄膜ヘッドから導かれた導体パターンがそれぞれ連続している複合型磁気ヘッド。」の発明が記載されていると認められる（以下、刊行物１の発明という。）。　
　
　
〈刊行物２〉　
「（ａ）磁気ヘッドと、　
　（ｂ）該磁気ヘッドに固定されたフレクシャと、　
　（ｃ）該フレクシャに固定されたコンタクト部を有するプレートと、　
　（ｄ）該フレクシャに固定され、磁気ヘッド及びコンタクト部に接続されたリード線と　
　（ｅ）上記コンタクト部に対応して磁気ヘッド駆動機構に設けられるコネクタ を有し、　
　（ｄ）ヘッドジンバルアセンブリを磁気ヘッド駆動機構に対して上記コンタクト部及びコネクタにより着脱自在としたことを特徴とするハードディスクドライ ブ。」（特許請求の範囲）と、　
　
「１２ａは磁気ヘッド、１２ｂは磁気ヘッド１２ａからのリード線、１２ｃはリード線１２ｂを保護するためのビニール線である。また、１２ｄはヘッドジンバルアセンブリ１２に固定されたガラスエポキシ樹脂製のプレート、１２ｅはコンタクト部、１２ｆはフレクシャである。プレート１２ｄはフレクシャ１２ｆに接続されていて、ビニール線１２ｃはフレクシャ１２ｆに固定さてれている。上記磁気ヘッド１２ａからのリード線１２ｂはコンタクト部１２ａに接続されている。」（第２頁右下欄第１５行〜第３頁左上欄第４行）と記載されている。　
　
　
［４］対比・判断　
　本願発明と刊行物１の発明を対比すると、　
　刊行物１の発明の「複合型磁気ヘッド」「ジンバルサスペッション４」「複合型磁気ヘッドスライダー３」「ＭＲ素子」「ＦＰＣ１の端末側端子部２」「短絡線７」「薄膜ヘッド」「端子」は、　
　本願発明の「磁気ヘッド装置」「磁気ヘッド支持装置」「スライダ」「磁気抵抗効果を利用した読み取り素子」「端子板」「短絡部」「書き込み素子用磁気変換素子」「端子導体」に相当することから、　
　両者は、磁気抵抗効果を利用した読み取り素子の静電破壊を防止する課題で共通し、　
 「磁気ヘッドと、ヘッド支持装置と、磁気ヘッドと端子導体の接続線と、端子板とを含む磁気ヘッド装置であって、　
　前記磁気ヘッドは、スライダと、スライダに備えられた少なくとも一つの磁気変換素子とを有し、前記磁気変換素子の少なくとも１つは磁気抵抗効果を利用した読み取り素子であり、　
　前記ヘッド支持装置は、前記磁気ヘッドを支持しており、　
　前記磁気ヘッドと端子導体の接続線は、少なくとも一対からなり、前記一対のそれぞれは、一端が前記読み取り端子に接続されており、　
　前記端子板は、少なくとも一対の端子導体を有しており、　
　前記一対の端子導体のそれぞれは、後方位置において、短絡部により電気的に短絡されており、　
　前記端子板の基板は、容易に切断可能であり、　
　前記磁気ヘッドは、更に、書き込み用磁気変換素子を含んでおり、　
　前記端子板は１つであり、端子導体は２対であり、前記端子導体の各対は２つの端子導体を有しており、　
　前記端子導体の一対は、前記短絡部により電気的に短絡され、短絡部までの間では、ギャップにより互いに分離されており、　
　前記端子導体の一対には、読み取り素子用磁気変換素子から導かれた接続線がそれぞれ連接しており、　
　前記端子導体の他の一対には、書き込み素子用磁気変換素子から導かれた接続線がそれぞれ連接している磁気ヘッド装置。」で一致し、以下の点で相違する。　
　
　
相違点　
  １．本願発明では、磁気ヘッドと端子導体の接続線がリード線であり、磁気変換素子に接続したリード線の少なくとも１対の線材の他端を端子板の端子導体の接続部に接続するのに対して、刊行物１の発明では、磁気ヘッドと端子導体の接続線がＦＰＣ１であり、１端を磁気変換素子に接続し連続したＦＰＣ１の導電パターンの他端を端子としている点。　
　
　２．端子板における基板の硬度が、本願発明では、硬質であるのに対して、刊行物１の発明では、ＦＰＣ１の基板で軟質である点。　
　
　３．本願発明では、基板は溝または穴を有しており、溝または穴は、基板の厚み方向の少なくとも一面に、そのほぼ全幅にわたって、直線状に形成され、基板を手で切断可能であるのに対して、刊行物１の発明にはそのような記載がない点。　
　
　４．本願発明では、２対の端子導体のそれぞれは、短絡部により電気的に共通に短絡されるのに対して、刊行物１の発明には、このような構成が記載されていない点。　
　
［５］相違点に対する当審の判断　
相違点１　
　磁気ヘッドにおいてリード線を使用することは普通であり、刊行物２にもリード線の一端を磁気ヘッドに接続した構成が記載されており、さらに刊行物２には、リード線をプレート上のコンタクト部に接続した構成が記載されており、刊行物１の発明におけるＦＰＣ１を、リード線とし、リード線を端子板の端子導体に接続した構成とすることは、当業者が容易に推考できることと認める。　
　
相違点２　
　刊行物２には、磁気ヘッドのコンタクト部をコネクタに着脱自在にし、着脱を容易にするためコンタクト部をガラスエポキシ樹脂製の硬質としたことが記載されており、刊行物１の発明における端子部の基板を硬質とすることは当業者が容易に推考できることと認める。　
　
相違点３　
　回路基板において切断を容易にするため、基板の厚み方向の少なくとも一面に、そのほぼ全幅にわたって、直線状に溝または穴を設け、容易に切断可能とする構成は周知であり（特開平７−１６４３９２号公報、実願昭６２−１４６９９８号（実開昭６４−５２２７６号）のマイクロフィルム、実願昭５８−４３９９２号（実開昭５９−１４９６５２号）のマイクロフィルム等参照）、刊行物１の発明においても、周知の構成を用いて、基板を手で切断可能とすることは当業者がきわめて容易に推考できることと認める。　
　
相違点４　
　磁気ヘッドにおいては、磁気抵抗効果を利用した読み取り素子側の一対の導線と書き込み素子側の一対の導線の配置は規定されておらず、刊行物１に図示されているように磁気抵抗効果を利用した読み取り素子の一対の導線が４本の導線の内側の一対とした場合がある一方、離間して外側に一対の場合、左右の一方に隣接して一対が配置された場合があり、どのような配置の導線の場合においても、少なくとも磁気抵抗効果を利用した読み取り素子を短絡するためには、端子部の切断されて接続される側のすべての端子で短絡されている必要があり、刊行物１の発明において、２対の端子のそれぞれを短絡線で電気的に接続することは当業者が容易に推考できることと認める。　
　
　刊行物１の発明に刊行物２に記載された事項を組み合わせることに困難性は認められず、また、当業者にとって、予期し得ない効果を伴うような、困難な組み合わせであるとも認めることはできない。本願発明において奏される効果は当業者が予測できる範囲内のものである。　
　したがって、本願発明は、刊行物１，２に記載された発明に基づいて当業者が容易に発明をすることができたものと認める。　
　
　
［６］むすび　
　以上のとおりであるから、本願発明は、特許法第２９条第２項の規定により、特許を受けることができない。　
　
  よって、結論のとおり審決する。